(57)【要約】【課題】ファンモータに接続されるケーブルの固定を高い信頼性で行い、低コストで高い耐久性を有する室外機を提供する。【解決手段】室外ファン２４と、室外ファン２４を駆動するファンモータと、ファンモータに接続されるケーブル４３と、ケーブル４３を複数の位置で固定する複数のケーブル固定部となる結束バンド４６及び金属クランプ４５とを備えている。両隣のケーブル固定部によるケーブル４３の固定がされた状態で、これら両隣のケーブル固定部の中間に位置する中間ケーブル固定部によるケーブル４３の固定が外れた場合に、ケーブル４３が室外ファン２４の回転軌跡に干渉する位置に変位することになる中間ケーブル固定部には、金属クランプ４５が用いられている。【選択図】図２
2018128226.tif 000002
【特許請求の範囲】
【請求項１】
ファンと、
前記ファンを駆動するファンモータと、
前記ファンモータに接続されるケーブルと、
前記ケーブルを複数の位置で固定する複数のケーブル固定部と、
を備え、
両隣の前記ケーブル固定部による前記ケーブルの固定がされた状態で、これら両隣の前記ケーブル固定部の中間に位置する中間ケーブル固定部による前記ケーブルの固定が外れた場合に、前記ケーブルが前記ファンの回転軌跡に干渉する位置に変位することになる該中間ケーブル固定部には、金属が用いられることを特徴とする室外機。
【請求項２】
前記中間ケーブル固定部は、他の部材を固定するネジとともに所定位置に固定されることを特徴とする請求項１に記載の室外機。
【請求項３】
前記中間ケーブル固定部以外の前記ケーブル固定部は、金属を用いない樹脂製とされていることを特徴とする請求項１又は２に記載の室外機。
【請求項４】
ファンと、
前記ファンを駆動するファンモータと、
前記ファンモータに接続されるケーブルと、
前記ケーブルを複数の位置で固定する複数のケーブル固定部と、
を備えた室外機の組立方法であって、
両隣の前記ケーブル固定部による前記ケーブルの固定された状態で、これら両隣の前記ケーブル固定部の間に位置する中間ケーブル固定部による前記ケーブルの固定が外れた場合に、前記ケーブルが前記ファンの回転軌跡に干渉する位置に変位することになる該中間ケーブル固定部に、金属を用いることを特徴とする室外機の組立方法。
【発明の詳細な説明】
【技術分野】
【０００１】
本発明は、ファンモータのケーブルを固定する固定部を備えた室外機及びその組立方法に関するものである。
【背景技術】
【０００２】
空調装置の室外機に設けられたファンを駆動するファンモータには、制御信号の送受信や電力供給のためにケーブルが接続されている。ケーブルは、室外機の内部の所定の複数箇所にて固定具によって固定されている（例えば特許文献１参照）。
【先行技術文献】
【特許文献】
【０００３】
【特許文献１】特開２００８−１３８９６７号公報
【発明の概要】
【発明が解決しようとする課題】
【０００４】
ケーブルを固定する固定具として脱着可能な樹脂製の結束バンドが用いられる。しかし、樹脂製の結束バンドは、経年劣化により破断し、ケーブルが固定位置から外れてしまうことがある。ケーブルが固定位置から外れると、回転するファンに接触してケーブルが損傷して断線するおそれがある。ケーブルが断線すると、空調機の運転に支障を来してしまう。
そのため、樹脂製の結束バンドに代えて、金属クランプを採用することが考えられる。金属クランプは、樹脂製の結束バンドに比べて耐久性が高いものの、コストが嵩むという問題がある。
また、金属クランプを室外機の所定位置に固定する場合、溶接するか、ネジで固定する必要がある。溶接を行うと、溶接部に錆が発生するおそれがある。ネジで固定すると、新たにネジ穴を形成する追加工程が発生するとともに、新たに形成したネジ穴に錆が発生するおそれがある。これでは、室外機の耐久性を損ねてしまう。
【０００５】
本発明は、このような事情に鑑みてなされたものであって、ファンモータに接続されるケーブルの固定を高い信頼性で行い、低コストで高い耐久性を有する室外機及びその組立方法を提供することを目的とする。
【課題を解決するための手段】
【０００６】
上記課題を解決するために、本発明の室外機及びその組立方法は以下の手段を採用する。
すなわち、本発明にかかる室外機は、ファンと、前記ファンを駆動するファンモータと、前記ファンモータに接続されるケーブルと、前記ケーブルを複数の位置で固定する複数のケーブル固定部とを備え、両隣の前記ケーブル固定部によるケーブルの固定がされた状態で、これら両隣の前記ケーブル固定部の中間に位置する中間ケーブル固定部によるケーブルの固定が外れた場合に、前記ケーブルが前記ファンの回転軌跡に干渉する位置に変位することになる該中間ケーブル固定部には、金属が用いられることを特徴とする。
【０００７】
ファンを駆動するファンモータのケーブルは、室外機の内部の各所にケーブル固定部によって固定される。ケーブル固定部で固定されたケーブルが外れると、ファンの回転軌跡に干渉する位置にケーブルが変位し、ケーブルがファンによって損傷することになる。そこで、両隣のケーブル固定部が固定された状態で中間に位置する中間ケーブル固定部が外れた場合に、ケーブルがファンの回転軌跡に干渉する位置に変位することになる中間ケーブル固定部には、金属を用いることとした。中間ケーブル固定部に金属を用いることにより、樹脂を用いる場合に比べて経年劣化による破断が発生しにくい。したがって、中間ケーブル固定部が破断してケーブルが外れ、ファンによってケーブルが損傷するおそれを可及的に回避でき、室外機の耐久性を向上させることができる。
ケーブル固定部としては、典型的には、ケーブルを把持するクランプが用いられる。中間ケーブル固定部に金属を用いる場合には、例えば、ケーブルを把持する部分に塑性変形可能な金属を用いる。この場合、金属部にはケーブルへの損傷を回避するために熱収縮チューブのような樹脂製の被覆部を設けることが好ましい。
【０００８】
さらに、本発明の室外機では、前記中間ケーブル固定部は、他の部材を固定するネジとともに所定位置に固定されることを特徴とする。
【０００９】
室外機を構成する他の部材を固定するネジとともに中間ケーブル固定部を固定することとしたので、中間ケーブル固定部を固定するために新たにネジ穴を形成する必要がない。これにより、新たなネジ穴を形成することで錆が発生するリスクを回避することができる。他の部材を固定するネジを共用化できるので、部品点数を抑制できる。
他の部材を固定するネジとしては、例えば、ファンモータのモータベースを組み立てる際に用いるネジや、室外機のコントロールボックスと機械室とを仕切るバッフルプレートに用いられるネジが挙げられる。
【００１０】
さらに、本発明の室外機では、前記中間ケーブル固定部以外の前記ケーブル固定部は、金属を用いない樹脂製とされていることを特徴とする。
【００１１】
中間ケーブル固定部以外のケーブル固定部は、ケーブルの固定が外れてもケーブルがファンの回転軌跡に干渉するおそれがないので、金属を用いない樹脂製を用いることとした。これにより、コストを下げることができる。
【００１２】
また、本発明の室外機の組立方法は、ファンと、前記ファンを駆動するファンモータと、前記ファンモータに接続されるケーブルと、前記ケーブルを複数の位置で固定する複数のケーブル固定部と、を備えた室外機の組立方法であって、両隣の前記ケーブル固定部によるケーブルの固定された状態で、これら両隣の前記ケーブル固定部の間に位置する中間ケーブル固定部によるケーブルの固定が外れた場合に、前記ケーブルが前記ファンの回転軌跡に干渉する位置に変位することになる該中間ケーブル固定部に、金属を用いることを特徴とする。
【発明の効果】
【００１３】
運転に使用を来すおそれのある固定部に金属を用いることとしたので、高い耐久性を有する室外機を低コストで実現することができる。
【図面の簡単な説明】
【００１４】
【図１】本発明の一実施形態に係る空調機の冷媒回路を示した図である。
【図２】図１の室外機を示した斜視図である。
【図３】図２の要部を示した部分拡大斜視図である。
【図４】モータベースに取り付けられた金属クランプを示した斜視図である。
【図５】レシーバを固定するブラケットに取り付けられた金属クランプを示した斜視図である。
【図６】モータベースへのケーブルの固定が外れた場合のケーブルの変位を示した斜視図である。
【図７】レシーバを固定するブラケットへのケーブルの固定が外れた場合のケーブルの変位を示した斜視図である。
【発明を実施するための形態】
【００１５】
以下に、本発明の室外機及びその組立方法の一実施形態について、図面を参照して説明する。
図１には、１台の室外機に対して複数台の室内機が接続されるマルチ形空調システムの冷媒回路図が示されている。なお、室外機は複数台であっても良い。
【００１６】
同図に示すように、マルチ形空調システム（空調機）１は、１台の室外機２に、複数台の室内機３Ａ，３Ｂが並列に接続されたものである。複数台の室内機３Ａ，３Ｂは、室外機２に接続されているガス側配管４と液側配管５との間に分岐器６を介して互いに並列に接続されている。
【００１７】
室外機２は、冷媒を圧縮するインバータ駆動の圧縮機１０と、冷媒の循環方向を切換える四方切換弁１２と、冷媒と外気とを熱交換させる室外熱交換器１３と、室外熱交換器１３と一体的に構成されている過冷却コイル１４と、室外膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュムレータ１９と、ガス側操作弁２０と、液側操作弁２１とを備えている。
【００１８】
圧縮機１０の吐出側には、吐出配管２５を介してオイルセパレータ２６が接続されている。オイルセパレータ２６では、圧縮冷媒中のミスト状の潤滑油（オイル）が冷媒から分離される。オイルセパレータ２６でミスト状潤滑油が分離された冷媒は、四方切換弁１２へと導かれる。
【００１９】
アキュムレータ１９には、吸入配管３４にアキュムレータ１９で分離された液冷媒を潤滑油とともに戻す油戻し配管３５が設けられている。油戻し配管３５には、キャピラリ部３６が設けられている。キャピラリ部３６は、固定絞りとして用いられ、通過する液冷媒及び潤滑油の圧力を減少させる。
【００２０】
室外機２側の上記各機器は、冷媒配管２２を介して順次接続され、公知の室外側冷媒回路２３を構成している。また、室外機２には、室外熱交換器１３に対して外気を送風する室外ファン（ファン）２４が設けられている。
【００２１】
ガス側配管４及び液側配管５は、室外機２のガス側操作弁２０及び液側操作弁２１に接続される冷媒配管であり、現場での据え付け施工時に、室外機２とそれに接続される複数台の室内機３Ａ，３Ｂとの間の距離に応じて、その配管長が適宜設定されるようになっている。ガス側配管４及び液側配管５の途中には、複数の分岐器６が設けられ、該分岐器６を介して適宜台数の室内機３Ａ，３Ｂが接続されている。これによって、密閉された１系統の冷凍サイクル７が構成されている。
【００２２】
室内機３Ａ，３Ｂは、室内空気を冷媒と熱交換させて冷却又は加熱し、室内の空調に供する室内熱交換器３０と、室内膨張弁（ＥＥＶＣ）３１と、室内熱交換器３０を介して室内空気を循環させる室内ファン３２と、室内コントローラ３３とを備えており、室内側の分岐ガス側配管４Ａ，４Ｂ及び分岐液側配管５Ａ，５Ｂを介して分岐器６に接続されている。
【００２３】
上記のマルチ形空調システム１において、冷房運転は、以下のように行われる。
圧縮機１０で圧縮され、吐出された高温高圧の冷媒ガスは、四方切換弁１２により室外熱交換器１３側に循環され、室外熱交換器１３で室外ファン２４により送風される外気と熱交換されて凝縮液化される。この液冷媒は、過冷却コイル１４で更に冷却された後、室外膨張弁１５を通過し、レシーバ１６内にいったん貯留される。
【００２４】
レシーバ１６で循環量が調整された液冷媒は、過冷却熱交換器１７を経て液冷媒配管側を流通される過程で、液冷媒配管から一部分流され、過冷却用膨張弁１８で断熱膨張された冷媒と熱交換されて過冷却度が付与される。この液冷媒は、液側操作弁２１を経て室外機２から液側配管５へと導かれ、分岐器６を介して各室内機３Ａ，３Ｂの分岐液側配管５Ａ，５Ｂへと分流される。
【００２５】
分岐液側配管５Ａ，５Ｂに分流された液冷媒は、各室内機３Ａ，３Ｂに流入し、室内膨張弁３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００２６】
ガス側配管４で合流された冷媒ガスは、再び室外機２に戻り、ガス側操作弁２０、四方切換弁１２を経て、過冷却熱交換器１７からの冷媒ガスと合流された後、アキュムレータ１９に導入される。アキュムレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。アキュムレータ１９で分離された液冷媒は、アキュムレータ１９の底部に貯留され、潤滑油とともに油戻し配管３５を介して吸入配管３４へと導かれる。
【００２７】
一方、暖房運転は、以下のように行われる。
圧縮機１０により圧縮され、吐出された高温高圧の冷媒ガスは、四方切換弁１２を介してガス側操作弁２０側に循環される。この高圧ガス冷媒は、ガス側操作弁２０、ガス側配管４を経て室外機２から導出され、分岐器６、室内側の分岐ガス側配管４Ａ，４Ｂを経て複数台の室内機３Ａ，３Ｂに導入される。
【００２８】
室内機３Ａ，３Ｂに導入された高温高圧の冷媒ガスは、室内熱交換器３０で室内ファン３２を介して循環される室内空気と熱交換され、これにより加熱された室内空気は室内に吹出されて暖房に供される。一方、室内熱交換器３０で凝縮液化された冷媒は、室内膨張弁３１、分岐液側配管５Ａ，５Ｂを経て分岐器６に至り、他の室内機からの冷媒と合流され、液側配管５を経て室外機２に戻る。なお、暖房時、室内機３Ａ，３Ｂでは、凝縮器として機能する室内熱交換器３０の冷媒出口温度又は冷媒過冷却度が制御目標値となるように、室内膨張弁３１の開度が室内コントローラ３３を介して制御される。
【００２９】
室外機２に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、室外膨張弁１５に供給されて断熱膨張された後、過冷却コイル１４を経て室外熱交換器１３に流入される。
【００３０】
室外熱交換器１３では、室外ファン２４から送風される外気と冷媒とが熱交換され、冷媒は外気から吸熱して蒸発ガス化される。この冷媒は、室外熱交換器１３から四方切換弁１２を経て、過冷却熱交換器１７からの冷媒ガスと合流された後、アキュムレータ１９に導入される。アキュムレータ１９では、冷媒ガス中に含まれている液分が分離されてガス分のみが圧縮機１０に吸入され、圧縮機１０において再び圧縮される。以上のサイクルを繰り返すことによって暖房運転が行われる。アキュムレータ１９で分離された液冷媒は、アキュムレータ１９の底部に貯留され、潤滑油とともに油戻し配管３５を介して吸入配管３４へと導かれる。
【００３１】
＜室外機の構造＞
図２には、室外機２の構造が示されている。室外機２は、直方体形状の筐体４０を備え、筐体４０内に各機器が設置されている。図２は、筐体４０の前面が取り外された状態となっている。筐体４０内には、上下方向に延在する板金製のバッフルプレート４２が設けられている。バッフルプレート４２を挟んで、左側に室外ファン２４等が設置されたファン室Ｒ１が形成されており、右側に圧縮機１０（図１参照）や電装ボックス等が配置された機械室Ｒ２が形成されている。
【００３２】
ファン室Ｒ１の側面（図２では左側面）及び背面を形成するように、略Ｌ字形状に折り曲げられた室外熱交換器１３が配置されている。室外熱交換器１３は、上下に２分割されている。
【００３３】
室外ファン２４は、上下に２分割された室外熱交換器１３に応じて、上下に２つ設けられている。なお、上側の室外ファン２４の下部と、下側の室外ファン２４の上部は、その背後を示すために部分的に省略して図示されているだけであり、実際には３枚の同形状とされた翼２４ａが等角度間隔でバブ２４ｂに対して取り付けられている。また、室外ファン２４の数は１つでも良く、３つ以上であっても良い。
【００３４】
各室外ファン２４にはファンモータが接続されている。ファンモータは、室外ファン２４のバブ２４ｂの背面に隠れており、図示されていない。各ファンモータには、制御信号の送受信や電力供給のためのケーブル４３が接続されている。各ファンモータは、モータベース４４に対して固定されている。
【００３５】
モータベース４４は、左右に配置されて上下方向に延在する柱部４４ａと、高さ方向に所定間隔を有して横方向（水平方向）に延在して両柱部４４ａにネジを用いて固定された複数の横桁４４ｂとを備えている。
【００３６】
モータベース４４の柱部４４ａには、ケーブル４３を所定位置に固定するための結束バンド（ケーブル固定部）４６と、金属クランプ（ケーブル固定部，中間ケーブル固定部）４５とが固定されている。
なお、以下では、結束バンドは符号４６で示し、各位置の結束バンドを区別するときには符号４６の後に大文字アルファベットを付す。金属クランプは、符号４５で示し、各位置の金属クランプを区別するときには符号４５の後の大文字アルファベットを付す。
【００３７】
図２の要部を拡大して示した図３に示すように、結束バンド４６Ｄ，４６Ｅは、上下の室外ファン２４の近傍に設けられており、金属クランプ４５Ａは、これら結束バンド４６Ｄ，４６Ｅの中間に設けられている。
結束バンド４６Ｄ，４６Ｅは、脱着可能とされており、樹脂製とされている。結束バンド４６の形状は、例えば図５に示されており、円環部内にケーブル４３を通して固定する構成となっている。
【００３８】
金属クランプ４５は、塑性変形可能な平板状の金属板を曲成してケーブル４３を把持する。図４には、金属クランプ４５の金属板４５ａが曲成される前の平面状に延ばされた状態が示されている。金属板４５ａには、熱収縮チューブのような樹脂が被覆されている。図４に示すように、金属クランプ４５は、モータベース４４の柱部４４ａと横桁４４ｂとを固定するネジ４７によってモータベース４４に対して固定されている。すなわち、金属クランプ４５、柱部４４ａ及び横桁４４ｂは、ネジ４７によって共締めされている。
【００３９】
図２に示すように、ファン室Ｒ１のバッフルプレート４２の側方には、レシーバ１６が配置されている。レシーバ１６は、円筒形状とされており、下部に固定された脚部５０を介して筐体４０の底板上に立設している。レシーバ１６の上部は、ブラケット５２を介してバッフルプレート４２に固定されている。
【００４０】
ブラケット５２は、図５に示されているように、レシーバ１６に対して固定されたレシーバ側ブラケット５２ａと、バッフルプレート４２側に固定されたバッフルプレート側ブラケット５２ｂとから構成されている。バッフルプレート側ブラケット５２ｂの固定端部５２ｂ１は、スポット溶接によってバッフルプレート４２に固定されている。
レシーバ側ブラケット５２ａの先端部とバッフルプレート側ブラケット５２ｂの先端部とは、重ね合わされた状態でネジ５４によって互いに固定されている。このネジ５４を用いて、金属クランプ４５Ｂがブラケット５２に対して固定されている。すなわち、ネジ５４によって、レシーバ側ブラケット５２ａ、バッフルプレート側ブラケット５２ｂ及び金属クランプ４５Ｂが共締めされている。
【００４１】
本実施形態では、金属クランプ４５は、図２及び図３に示すように、モータベース４４に固定した金属クランプ４５Ａと、この金属クランプ４５Ａの側方に位置してレシーバ１６のブラケット５２に固定した金属クランプ４５Ｂとの２つが示されている。金属クランプ４５Ｂの機械室Ｒ２側（図において右側）には、バッフルプレート４２に固定された結束バンド４６Ｃが設けられている。
【００４２】
ケーブル４３は、以下のように取り回される。すなわち、ケーブル４３は、上下の室外ファン２４の各ファンモータから、モータベース４４の柱部４４ａに設けられた結束バンド４６Ｄ，４６Ｅ及び金属クランプ４５Ａによって定位置に固定された後、レシーバ１６の上部を渡る。そして、レシーバ１６の上方のブラケット５２に設けた金属クランプ４５Ｂによって定位置に固定された後に、バッフルプレート４２に設けた結束バンド４６Ｃに固定され、機械室Ｒ２内の電装ボックスへと導かれる。
【００４３】
図６には、モータベース４４に設けた金属クランプ４５Ａが樹脂製の結束バンド４６Ａだった場合に、経年劣化してケーブル４３の固定が外れた状態が示されている。なお、同図は、図２及び図３と異なり、モータベース４４の背面側から見た図となっている。
図６に示されているように、位置Ａの結束バンド４６Ａのケーブル固定が外れてしまうと、隣り合う固定部となる結束バンド４６Ｂ，４６Ｄのケーブル固定が維持されていても、ケーブル４３が室外ファン２４の翼２４ａに対して符号Ｐ１に示す位置で干渉してしまう。したがって、結束バンド４６Ｂ及び結束バンド４６Ｃの各固定部を通る直線を回転軸線とするケーブル４３の軌跡が室外ファン２４の翼２４ａの回転軌跡に干渉する場合には、本実施形態のように結束バンド４６Ａの位置には樹脂製よりも耐久性の高い金属クランプ４５Ａを採用することが好ましい。
【００４４】
図７には、レシーバ１６の上方のブラケット５２に設けた金属クランプ４５Ｂが樹脂製の結束バンド４６Ｂだった場合に、経年劣化してケーブル４３の固定が外れた状態が示されている。なお、同図は、図２及び図３と異なり、モータベース４４の背面側から見た図となっている。
図７に示されているように、結束バンド４６Ｂのケーブル固定が外れてしまうと、結束バンド４６Ａ，４６Ｃのケーブル固定が維持されていても、ケーブル４３が室外ファン２４の翼２４ａに対して符号Ｐ２で示す位置で干渉してしまう。したがって、結束バンド４６Ａ及び結束バンド４６Ｃの各固定部を通る直線を回転軸線とするケーブル４３の軌跡が室外ファン２４の翼２４ａの回転軌跡に干渉する場合には、本実施形態のように結束バンド４６Ｂの位置には樹脂製よりも耐久性の高い金属クランプ４５Ｂを採用することが好ましい。
【００４５】
以上の通り、本実施形態によれば、以下の作用効果を奏する。
両隣のケーブル固定部が固定された状態で中間に位置する中間ケーブル固定部が外れた場合に、ケーブル４３が室外ファン２４の回転軌跡に干渉する位置に変位することになる中間ケーブル固定部には、金属クランプ４５を用いることとした。中間ケーブル固定部を金属クランプ４５とすることにより、樹脂を用いる結束バンド４６に比べて経年劣化による破断が発生しにくい。したがって、中間ケーブル固定部が破断してケーブル４３が外れ、室外ファン２４によってケーブル４３が損傷するおそれを可及的に回避でき、室外機２の耐久性を向上させることができる。
【００４６】
室外機２を構成する他の部材（モータベース４４やブラケット５２）を固定するネジ４７，５４とともに中間ケーブル固定部である金属クランプ４５を固定することとしたので、金属クランプ４５を固定するために新たにネジ穴を形成する必要がない。これにより、新たなネジ穴を形成することで錆が発生するリスクを回避することができる。モータベース４４やブラケット５２を固定するネジ４７，５４を共用化できるので、部品点数を抑制できる。
【００４７】
中間ケーブル固定部として金属クランプ４５を用いた位置以外のケーブル固定部には、ケーブル４３の固定が外れてもケーブル４３が室外ファン２４の回転軌跡に干渉するおそれがないので、金属を用いない樹脂製の結束バンド４６を用いることとした。これにより、コストを下げることができる。
【００４８】
なお、本実施形態では、金属クランプ４５を用いる中間ケーブル固定部として、モータベース４４のケーブル固定部や、レシーバ１６のブラケット５２のケーブル固定部としたが、本発明はこれに限定されるものではなく、両隣のケーブル固定部の中間に位置する中間ケーブル固定部によるケーブルの固定が外れた場合に、ケーブルがファンの回転軌跡に干渉する位置に変位することになる中間ケーブル固定部であれば、他の位置にも適用できる。
【００４９】
また、本実施形態では、金属クランプ４５を固定するネジとしては、モータベース４４やブラケット５２を固定するネジ４７，５４としたが、本発明はこれに限定されるものではなく、室外機２のファン室Ｒ１内の機器に用いられるネジとしても良い。
【符号の説明】
【００５０】
１  マルチ形空調システム（空調機）
２  室外機
３Ａ，３Ｂ  室内機
１０  圧縮機
１３  室外熱交換器
１６  レシーバ
２４  室外ファン（ファン）
２４ａ  翼
２４ｂ  ハブ
４０  筐体
４２  バッフルプレート
４３  ケーブル
４４  モータベース
４４ａ  柱部
４４ｂ  横桁
４５，４５Ａ，４５Ｂ  金属クランプ（ケーブル固定部，中間ケーブル固定部）
４５ａ  金属板
４６，４６Ａ，４６Ｂ，４６Ｃ，４６Ｄ，４６Ｅ  結束バンド（ケーブル固定部）
４７  ネジ
５０  脚部
５２  ブラケット
５２ａ  レシーバ側ブラケット
５２ｂ  バッフルプレート側ブラケット
５２ｂ１  固定端部
５４  ネジ
Ｒ１  ファン室
Ｒ２  機械室
【図１】
2018128226.tif 000003
【図２】
2018128226.tif 000004
【図３】
2018128226.tif 000005
【図４】
2018128226.tif 000006
【図５】
2018128226.tif 000007
【図６】
2018128226.tif 000008
【図７】
2018128226.tif 000009